【手続補正書】
【提出日】平成17年3月18日(2005.3.18)
【手続補正１】
【補正対象書類名】明細書
【補正対象項目名】全文
【補正方法】変更
【補正の内容】
【書類名】明細書
【発明の名称】パンツ型おむつにおける弾性部材取付方法および装置
【特許請求の範囲】
【請求項１】前身頃と後身頃との両側縁部を接合し、胴開口部および左右一対の脚開口部を有するパンツ型おむつの製造過程において、
製品幅方向に延在し、その延在方向に対して少なくとも一部が曲線を描くように弾性伸縮部材を取り付けるに際して、
被取付素材に対向して前記弾性伸縮部材の位置決めガイドを設け、この位置決めガイドを、前記被取付素材が連続的に流れるライン方向と直交する方向に往復移動させる移動手段を設け、
この移動手段をサーボ機構により構成して前記位置決めガイドを往復移動させることを特徴とするパンツ型おむつにおける弾性部材取付方法。
【請求項２】前身頃と後身頃との両側縁部を接合し、胴開口部および左右一対の脚開口部を有するパンツ型おむつの製造過程において、
製品幅方向に延在し、その延在方向に対して少なくとも一部が曲線を描くように弾性伸縮部材を取り付ける装置であって、
被取付素材に対向して前記弾性伸縮部材の位置決めガイドを有し、この位置決めガイドを、前記被取付素材が連続的に流れるライン方向と直交する方向に往復移動させる移動手段を有し、
前記移動手段はサーボ機構により構成されていることを特徴とするパンツ型おむつにおける弾性部材取付装置。
【請求項３】前記位置決めガイドは、前記直交する方向に直線案内手段に沿って摺動し、前記サーボ機構は、サーボモータと、その出力軸と前記位置決めガイドとを繋ぐタイミングベルトとを有し、そのタイミングベルトの移動により前記位置決めガイドを直線案内手段に沿って摺動させる構成とした請求項１記載のパンツ型おむつにおける弾性部材取付装置。
【発明の詳細な説明】
【０００１】
【発明の属する技術分野】
本発明は、パンツ型紙おむつ、具体的には、前身頃と後身頃との両側縁部を接合し、胴開口部および左右一対の脚開口部を有するパンツ型おむつにおける弾性伸縮部材の取付方法とその装置に関する。
【０００２】
【従来の技術】
この種のパンツ型おむつの標準的な形態は、前身頃と後身頃との両側縁部を接合し、胴開口部および左右一対の脚開口部を有する。
【０００３】
しかるに、このパンツ型おむつにおいては、脚周りおよび腰周りからの漏れを防止するために、弾性伸縮部材を取り付けることが行われている。また、近年では身頃周り（腹周り）の弾性伸縮部材を取り付けて、着用者に対するフィット性を高めるようにしている。
【０００４】
前記の脚周りまたは身頃周りの弾性伸縮部材は、製品幅方向に延在し、その延在方向に対して曲線を描くように取り付けるものであるために、ライン方向と直交する方向に弾性伸縮部材を往復移動させることが必要となる。
【０００５】
このために、特開平３−３３２０１号公報に記載のとおり、弾性伸縮部材を構成する糸ゴムを通すガイドを、その基部側において（トラバース）カム機構により往復移動させるようにしてある。
【０００６】
【発明が解決しようとする課題】
しかし、カム機構による場合、製品の仕様ごと専用のたとえば溝カムが必要となり、（１）製品仕様を比較的頻繁に変更する場合、その設計およびカムの入手に手間がかかり経済的でない、（２）操業経時に伴って頻繁なメンテナンスが必要となる、（３）ガイドの移動手段が必然的に大きくなり、スペースが嵩む、（４）高速運転に適していない、（５）急激な位置変化がある場合、カムに倣うことができず、弾性伸縮部材のプロフィールに制限がある、などの多くの問題点がある。
【０００７】
したがって、本発明の課題は、かかる問題点を一挙に解消してきわめて実用的な形態を提供することにある。
【０００８】
【課題を解決するための手段】
上記課題を解決した本発明の請求項１記載の発明は、前身頃と後身頃との両側縁部を接合し、胴開口部および左右一対の脚開口部を有するパンツ型おむつの製造過程において、
製品幅方向に延在し、その延在方向に対して少なくとも一部が曲線を描くように弾性伸縮部材を取り付けるに際して、
被取付素材に対向して前記弾性伸縮部材の位置決めガイドを設け、この位置決めガイドを、前記被取付素材が連続的に流れるライン方向と直交する方向に往復移動させる移動手段を設け、
この移動手段をサーボ機構により構成して前記位置決めガイドを往復移動させることを特徴とするパンツ型おむつにおける弾性部材取付方法である。
【０００９】
請求項２記載の発明は、前身頃と後身頃との両側縁部を接合し、胴開口部および左右一対の脚開口部を有するパンツ型おむつの製造過程において、
製品幅方向に延在し、その延在方向に対して少なくとも一部が曲線を描くように弾性伸縮部材を取り付ける装置であって、
被取付素材に対向して前記弾性伸縮部材の位置決めガイドを有し、この位置決めガイドを、前記被取付素材が連続的に流れるライン方向と直交する方向に往復移動させる移動手段を有し、
前記移動手段はサーボ機構により構成されていることを特徴とするパンツ型おむつにおける弾性部材取付装置である。
【００１０】
請求項３記載の発明は、前記位置決めガイドは、前記直交する方向に直線案内手段に沿って摺動し、前記サーボ機構は、サーボモータと、その出力軸と前記位置決めガイドとを繋ぐタイミングベルトとを有し、そのタイミングベルトの移動により前記位置決めガイドを直線案内手段に沿って摺動させる構成とした請求項１記載のパンツ型おむつにおける弾性部材取付装置である。
【００１１】
【発明の実施の形態】
以下本発明を図面に示す実施の形態によってさらに詳説する。
（パンツ型おむつの構造例）
図１はパンツ型おむつ例Ｐの展開状態を示し、図２は製品状態のパンツ型おむつＰの正面を示し、図３はその側面を示している。すなわち、本例の紙おむつＰは、外形シート１と、この外形シート１内面に固定され、股間部４を中心として前後方向に延在する吸収体要素１０とで構成されている。
【００１２】
図１と図２および図３との関係から判るように、前身頃Ｆと後身頃Ｂとの両側縁部を接合部３０により接合することにより、胴開口部ＷＯおよび左右一対の脚開口部ＬＯを形成し、これらの脚開口部ＬＯ，ＬＯにおいて、その開口を収縮させるように、図示の形態においては複数本の弾性糸Ｇ１…，Ｇ２…からなる脚周り弾性部材を設けたものである。
【００１３】
２０は腰周りのフィット性を高めるための腰周り弾性部材、２１は胴周りのフィット性を高め、尿の前後漏れを防止するための胴周り弾性部材である。なお、図２および図３において、腰周り弾性部材２０については図示していない。
【００１４】
外形シート１は複数枚の不織布を積層固定してなり、それらの間に、前身頃Ｆの左腰脇部２Ｌから前身頃Ｆの左脚周り部３Ｌ、股間部４、前身頃Ｆの右脚周り部３Ｒを経て前身頃Ｆの右腰脇部２Ｒまで連続するように複数本の弾性糸Ｇ１…が固定されるとともに、後身頃Ｂの左腰脇部５Ｌから後身頃Ｂの左脚周り部６Ｌ、股間部４、後身頃Ｂの右脚周り部６Ｒを経て後身頃Ｂの右腰脇部５Ｒまで連続するように複数本の弾性糸Ｇ２…が固定されたものである。図２および図３に示すように、これら複数本の弾性糸Ｇ１…，Ｇ２…により左脚周り部３Ｌ，６Ｌおよび右脚周り部３Ｒ，６Ｒのそれぞれに脚周りギャザー７，７が形成される。なおＣは、各脚周り部の中央領域を示している。
【００１５】
吸収体要素１０は、たとえば、不織布などからなり着用者の肌に直接触れる透液性トップシート１１と、ポリエチレンなどのプラスチックフィルムや撥水処理を施した不織布などからなる不透液性バックシート１３との間に、綿状パルプを主体とし必要によりこれを吸収紙で包んだ吸収材１２を挟み込み、周縁部分を例えばホットメルト接着剤等により接着して一体化したものとして形成することができる。
【００１６】
そして、本例の紙おむつＰでは、前身頃Ｆ側の複数本の弾性糸Ｇ１…は、前身頃Ｆの左腰脇部２Ｌ、股間部４および前身頃Ｆの右腰脇部２Ｒにおいては束ねられた状態で外形シート１に固定され、その他の部分すなわち前身頃Ｆの左脚周り部３Ｌおよび前身頃Ｆの右脚周り部３Ｒでは相互に間隔を開けて外形シート１に固定されている。また、後身頃Ｂ側の複数本の弾性糸Ｇ２…は、後身頃Ｂの左腰脇部５Ｌ、股間部４および後身頃Ｂの右腰脇部５Ｒの各部においては束ねられた状態で外形シート１に固定され、その他の部分すなわち後身頃Ｂの左脚周り部６Ｌおよび後身頃Ｂの右脚周り部６Ｒでは相互に間隔を開けて外形シート１に固定されている。なお、図示例では、前身頃Ｆ側に固定した複数本の弾性糸Ｇ１…および後身頃Ｂ側に固定した複数本の弾性糸Ｇ２…の両方が、股間部４において１本に束ねられている。
【００１７】
したがって、本例の紙おむつ１では、各複数本の弾性糸Ｇ１…，Ｇ２…の配設間隔は脚周り部３Ｌ，３Ｒ，６Ｌ，６Ｒで最も広く、股間部４および腰脇部２Ｌ，２Ｒ，５Ｌ，５Ｒで最も狭くなっている。
【００１８】
このように弾性糸を配設することで、複数本の弾性糸Ｇ１…，Ｇ２…を束ねて固定した部位、すなわち股間部４および腰脇部２Ｌ，２Ｒ，５Ｌ，５Ｒの収縮力が弱まる。その結果、吸収体要素１０の幅方向の収縮が小さくなるとともに、被着者の腰脇に締付け跡が付きにくくなる。また本例では、脚周り部３Ｌ，３Ｒ，６Ｌ，６Ｒでは、複数の弾性糸Ｇ１…，Ｇ２…は相互に間隔を開けて外形シート１に固定されているので、当該部分の収縮力は股間部４や腰脇部２Ｌ，２Ｒ，５Ｌ，５Ｒと比べて強い。また、この脚周り部３Ｌ，３Ｒ，６Ｌ，６Ｒはより幅方向に広い面で被着者の太股に接する。よって、太股の付け根に対するフィット性が良好であり、締付け跡が付きにくいとともに横漏れ防止効果にも優れる。
【００１９】
他方、前記の弾性部材または弾性糸としては、適宜の太さおよび断面形状を有する天然ゴム糸や合成ゴム糸を使用できる。弾性糸の本数も、複数であれば図示例のように３本である必要はない。
【００２０】
また、上記例では前身頃Ｆ側に固定した複数本の弾性糸Ｇ１…および後身頃Ｂ側に固定した複数本の弾性糸Ｇ２…の両方が、股間部４において１本に束ねられているが、これに限定されない。すなわち、前身頃Ｆ側に固定した複数本の弾性糸と後身頃Ｂ側に固定した複数本の弾性糸とを、股間部においてそれぞれ別々に束ねることができる。
【００２１】
この場合、前身頃Ｆ側の複数本の弾性糸Ｇ１…と後身頃Ｂ側の複数本の弾性糸Ｇ２…とを股間部４においてそれぞれ別々に束ね、かつ各複数本の弾性糸Ｇ１…，Ｇ２…を互いに交差させるようにしたり、前身頃Ｆ側の複数本の弾性糸Ｇ１…と後身頃Ｂ側の複数本の弾性糸Ｇ２…とを股間部４においてそれぞれ別々に束ね、かつ各複数本の弾性糸Ｇ１…，Ｇ２…を交差させず前後方向に離間するようにしたりすることができる。
【００２２】
さらに上記例では、股間部および腰脇部における複数本の弾性糸を束ねた状態で外形シートに固定し、脚周り部における複数本の弾性糸を間隔を開けて外形シートに固定しているが、これに限定されない。
【００２３】
すなわち、少なくとも股間部における複数本の弾性糸の相互間隔が脚周り部のそれと比べて狭ければ良い。したがって、かかる条件を満足する限り、例えば全ての部位における複数本の弾性糸が間隔を開けて配設されていても良い。また、股間部および腰脇部の両方における複数本の弾性糸の相互間隔を脚周り部よりも狭くする場合において、股間部における複数本の弾性糸の相互間隔と腰脇部における複数本の弾性糸の相互間隔とが異なっていても良い。
【００２４】
（本発明の弾性伸縮部材の取付形態について）
本発明の弾性伸縮部材の取付形態を、前記パンツ型おむつの胴周り弾性部材２１の取付形態に適用した場合の例を説明する。
【００２５】
胴周り弾性部材２１は、たとえば図１にも示されているように製品前後方向に曲線を描いて外形シート１に取り付けられる。
【００２６】
この弾性部材２１は、６本の糸ゴムとして位置決めガイド４０を通して供給され、ニップロール５１，５２で重ねる直前において、被取付素材としての外形第１シート１Ａと外形第２シート１Ｂとの間に挿入される。
【００２７】
位置決めガイド４０は、移動手段６０によって、外形第１シート１Ａが連続的に流れるライン方向（図６の左右方向）と直交する方向（図５の左右方向、図６の上下方向）に往復移動さされる。
【００２８】
移動手段６０は、支持体６１が平行の案内ロッド６２，６３に遊嵌され、その支持体６１を直線案内手段を構成する案内ロッド６２，６３に摺動させるものである。このために、支持体６１のライン方向と直交する方向の一方に、対地固定の駆動用サーボモータ６４の出力軸に一体化された溝付きプーリ６４Ａと、他方に、支持台６５に固定された巻き掛け用溝付きプーリ６５Ａと、支持体６１に非回転的に設けられた溝付き案内体６１Ａとを有する。これらの溝付きプーリ６４Ａと、溝付き案内体６１Ａと、巻き掛け用溝付きプーリ６５Ａとにはタイミングベルト６６が順次巻き掛けられている。
【００２９】
その結果、サーボモータ６４を正逆させると、タイミングベルト６６が平面視で時計方向または反時計方向に回転するので、そのタイミングベルト６６に噛み合う溝付き案内体６１Ａを介して、支持体６１が図５の左右方向に往復移動する。この往復によって、胴周り弾性部材２１が、外形第１シート１Ａと外形第２シート１Ｂに対して製品前後方向に曲線を描きながら位置決めされる。この位置決め状態において、たとえばホットメルト接着剤などにより固定され、最終的に図１に示すように固定される。
【００３０】
図４において右側に仮想線で図示されているものは、背側の胴周り弾性部材２１の取付装置を示している。
【００３１】
図５に示すように、脚周りの弾性糸Ｇ１は支持体７０によってガイドされ、この支持体７０は、同じく案内ロッド６２，６３に遊嵌され、弾性部材２１の場合と同様な取付装置あるいは前記公報記載のカム機構（図示せず）などにより製品前後方向に曲線を描きながら位置決めされる。
【００３２】
本発明においては、胴周り弾性部材２１の製品前後方向の曲線プロフィールを変更する場合には、目的のプロフィールに応じてサーボモータ６４を含むサーボ機構のプロフィール制御信号を電気的に設定変更すればよいから、製品の仕様替えに対して迅速かつ簡易に対応できる。
【００３３】
【発明の効果】
以上の通り、本発明によれば、製品仕様を比較的頻繁に変更する場合において簡易かつ迅速に対応できる、操業過程におけるメンテナンスが殆ど不要となる、装置として小型のもので足り、省スペースとなる、高速運転に適するものとなる、急激な位置変化がある場合であっても対応できるから、弾性伸縮部材のプロフィールに制限がないなどの利点がもたらされる。
【図面の簡単な説明】
【図１】
本発明に係るパンツ型おむつの展開図である。
【図２】
本発明に係るパンツ型おむつの未着用状態の正面図である。
【図３】
その側面図である。
【図４】
本発明装置の概要正面図である。
【図５】
その側面図である。
【図６】
平面図である。
【符号の説明】
Ｐ…パンツ型おむつ、１…外形シート、２Ｌ，２Ｒ…前身頃Ｆの腰脇部、３Ｌ，３Ｒ…前身頃Ｆの脚周り部、４…股間部、５Ｌ，５Ｒ…後身頃Ｂの腰脇部、６Ｌ，６Ｒ…後身頃Ｂの脚周り部、７…ギャザー、１０…吸収体要素、１１…透液性トップシート、１２…吸収材、１３…不透液性バックシート、Ｇ１…前身頃Ｆ側の弾性糸、Ｇ２…後身頃Ｂ側の弾性糸、２０…腰周り弾性部材、２１…胴周り弾性部材、３０…接合部、４０…位置決めガイド、６０…移動手段、６１…支持体、６２，６３…案内ロッド、６４…サーボモータ、６６…タイミングベルト。